(57)【要約】【課題】室外機の運転音をより省スペースな構成で低減することができる防音カバーを提供する。【解決手段】防音カバー１１は、室外機１０の前面１０ａに対して、当該前面１０ａに開口する送風口１０ｃを少なくとも覆うように取り付けられる防音カバーであって、送風口１０ｃから排出された空気が流入する流入口２０ａと、流入口２０ａから流入した空気が外部に流出する流出口２０ｂと、流入口２０ａから流出口２０ｂに至る過程において、空気が蛇行するように、流入口２０ａから流出口２０ｂまで延びる流路２０ｃとを備える。【選択図】図５
2020159567.tif 000002
【特許請求の範囲】
【請求項１】
室外機の前面に対して、前記前面に開口する送風口を少なくとも覆うように取り付けられる防音カバーであって、
前記送風口から排出された空気が流入する流入口と、
前記流入口から流入した空気が外部に流出する流出口と、
前記流入口から前記流出口に至る過程において、空気が蛇行するように、前記流入口から前記流出口まで延びる流路とを備える
ことを特徴とする防音カバー。
【請求項２】
前記流路は、複数の仕切り板によって形成される
ことを特徴とする請求項１記載の防音カバー。
【請求項３】
前記流出口から流出した空気を、前記流出口の後方側に向けてガイドする第１ガイド面を備える
ことを特徴とする請求項１または請求項２記載の防音カバー。
【請求項４】
前記第１ガイド面に沿って流れる空気を、前記流出口の幅方向外側に向けてガイドする第２ガイド面を備える
ことを特徴とする請求項３記載の防音カバー。
【請求項５】
前記流入口に対向するように配置され、前記流入口に流入した空気が通過するときに吸音する吸音部材を備え、
前記流入口に流入した空気は、前記吸音部材及び前記流路を通って、前記流出口から外部に流出する
ことを特徴とする請求項１から請求項４のうちのいずれか１項記載の防音カバー。
【発明の詳細な説明】
【技術分野】
【０００１】
この発明は、室外機の防音カバーに関するものである。
【背景技術】
【０００２】
全館空調用室外機は、一台で１住居に対応する必要があるため、その運転音は、ルームエアコン用室外機の運転音と比べて、高音となる。このため、全館空調用室外機を設置する場合には、その設置レイアウトは、運転音の大きさを考慮して、慎重に設計されている。しかしながら、全館空調用室外機の運転音に対する低減要求を隣家から受ける場合があり、その際の対策は、予め確立しておく必要がある。
【０００３】
全館空調用室外機の運転音に対する低減要求を受ける案件では、当該室外機と隣家との間のスペースが少ないことが多い。このため、全館空調用室外機の運転音に対する対策は、省スペースで行うことが求められている。また、その対策を行う際には、美観を考慮して欲しいという要求を受けることもある。
【０００４】
特許文献１には、室外機を囲むように設けられた防音壁が開示されている。この防音壁は、複数の支柱間に隙間無く設けられることで、音源から受音点までの距離を長くし、室外機の運転音を減衰させるものである。
【先行技術文献】
【特許文献】
【０００５】
【特許文献１】特開２００８−１３８４３８号公報
【発明の概要】
【発明が解決しようとする課題】
【０００６】
しかしながら、特許文献１に開示された防音壁においては、運転音の減衰効果を十分に得るために、その高さを高くする必要がある。一般住宅では、日照を考慮した場合に、防音壁を高くすることは、困難である。
【０００７】
この発明は、上記のような課題を解決するためになされたもので、室外機の運転音をより省スペースな構成で低減することができる防音カバーを提供することを目的とする。
【課題を解決するための手段】
【０００８】
この発明に係る防音カバーは、室外機の前面に対して、当該前面に開口する送風口を少なくとも覆うように取り付けられる防音カバーであって、送風口から排出された空気が流入する流入口と、流入口から流入した空気が外部に流出する流出口と、流入口から流出口に至る過程において、空気が蛇行するように、流入口から流出口まで延びる流路とを備えるものである。
【発明の効果】
【０００９】
この発明によれば、室外機の運転音をより省スペースな構成で低減することができる。
【図面の簡単な説明】
【００１０】
【図１】実施の形態１に係る防音カバーを備えた室外機の正面図である。
【図２】図１のＡ−Ａ矢視断面図である。
【図３】図１のＢ−Ｂ矢視断面図である。
【図４】図３の要部拡大図である。
【図５】実施の形態１に係る防音カバーの分解斜視図である。
【図６】流路構造部の分解斜視図である。
【図７】仕切り板同士の固定構造を示した図である。
【図８】仕切り板と側板との固定構造を示した図である。
【図９】仕切り板と底板との固定構造を示した図である。
【図１０】仕切り板と前カバーとの固定構造を示した図である。
【図１１】流路構造部と吸音部材との固定構造を示した図である。
【図１２】流路構造部とフレームとの固定構造を示した図である。
【図１３】実施の形態２に係る防音カバーの分解斜視図である。
【発明を実施するための形態】
【００１１】
以下、この発明の実施の形態について図面を参照しながら詳細に説明する。
【００１２】
実施の形態１．
実施の形態１に係る防音カバーについて、図１から図１２を用いて説明する。
【００１３】
図１は、実施の形態１に係る防音カバーを備えた室外機の正面図である。図２は、図１のＡ−Ａ矢視断面図である。図３は、図１のＢ−Ｂ矢視断面図である。図４は、図３の要部拡大図である。なお、図１から図４に示した２点鎖線は、室外機から排出された空気及びその運転音の流れを示している。
【００１４】
実施の形態１に係る防音カバー１１は、例えば、全館空調用の室外機１０に適用されるものである。この防音カバー１１は、室外機１０の前面１０ａに取り付けられている。
【００１５】
室外機１０は、ファン及びコンプレッサ（共に図示省略）を内蔵している。室外機１０は、そのファンに対応した送風口１０ｃ及び吸い込み口（図示省略）を有している。送風口１０ｃは、室外機１０の前面１０ａに開口している。吸い込み口は、室外機１０の後面１０ｂに開口している。室外機１０は、ファンが駆動されると、吸い込み口から吸い込まれた空気に対して熱交換を行った後、この熱交換後の空気を送風口１０ｃから、防音カバー１１内に排出する。
【００１６】
防音カバー１１は、室外機１０の運転音を低減させるものである。室外機１０の運転音としては、例えば、ファンの駆動音及びコンプレッサの駆動音等である。このような運転音は、送風口１０ｃから室外機１０の外部に排出された空気の流れと共に、大気中を伝搬する。これに対して、防音カバー１１は、送風口１０ｃから排出されて流入した空気を、当該防音カバー１１の内部に通過させてから、その外部に流出させることにより、室外機１０の運転音を低減可能としている。
【００１７】
図５は、実施の形態１に係る防音カバーの分解斜視図である。図６は、流路構造部の分解斜視図である。
【００１８】
防音カバー１１は、流路構造部２０、吸音部材４１、及び、フレーム５１を備えている。流路構造部２０及び吸音部材４１は、フレーム５１を介して、室外機１０の前面１０ａに固定されている。
【００１９】
流路構造部２０は、送風口１０ｃを少なくともその外側から覆うように、前面１０ａに対向して配置されている。一般的に、音は、その伝搬距離が長くなるに従って、その大きさが次第に小さくなる。そこで、流路構造部２０は、室外機１０から流入した空気がその内部で流れる距離を長くして、その運転音が伝搬する伝搬距離を長くすることにより、室外機１０の運転音を低減する。
【００２０】
図７は、仕切り板同士の固定構造を示した図である。図８は、仕切り板と側板との固定構造を示した図である。図９は、仕切り板と底板との固定構造を示した図である。図１０は、仕切り板と前カバーとの固定構造を示した図である。図１１は、流路構造部と吸音部材との固定構造を示した図である。図１２は、流路構造部とフレームとの固定構造を示した図である。
【００２１】
流路構造部２０は、流入口２０ａ、流出口２０ｂ、流路２０ｃ、前カバー２１、左右一対の側板２２、底板２３、仕切り板２４〜２６、及び、ガイド板２７、及び、ガイド部材２８を有している。
【００２２】
図６に示す如く、前カバー２１は、防音カバー１１を構成する部材の中で、最も前方側に位置している。この前カバー２１は、縦断面形状がＬ字型をなしている。側板２２は、前カバー２１の幅方向両側部に固定されている。底板２３は、各側板２２の下端に固定されている。これにより、図２及び図３に示す如く、流路構造部２０は、後部に開口する流入口２０ａと、前カバー２１の後面と底板２３の前端との間に開口する流出口２０ｂとを有している。
【００２３】
流入口２０ａは、送風口１０ｃから排出された空気を、流路構造部２０内に流入させるものである。流出口２０ｂは、流路構造部２０の下方に向けて開口しており、流路構造部２０内に流入した空気を、当該流路構造部２０の外部に流出させるものである。
【００２４】
図２、図３、図６から図１０に示す如く、仕切り板２４〜２６は、前カバー２１、各側板２２、及び、底板２３によって区画形成された内部空間内において、流出口２０ｂ側から流入口２０ａ側に向けて順に設けられている。仕切り板２４〜２６は、平板状をなしており、対向する面同士が略平行となるように配置されている。なお、仕切り板の数量は、後述する流路２０ｃが形成できるのであれば、幾らでも構わない。
【００２５】
仕切り板２４，２６は、各側板２２の内面及び底板２３の上面に固定されている。仕切り板２５は、前カバー２１の天井面に固定されると共に、アングル部材３１，３２を介して、各側板２２の内面に固定されている。このとき、仕切り板２４の上端と前カバー２１の天井面との間には、隙間が形成されている。仕切り板２５の下端と底板２３の上面との間には、隙間が形成されている。仕切り板２６の上端と前カバー２１の天井面との間には、隙間が形成されている。
【００２６】
これにより、図２及び図３に示す如く、流路構造部２０は、上述した構成をなすことにより、流路２０ｃを有している。この流路２０ｃは、流入口２０ａから、仕切り板２５，２６間に形成される隙間空間、仕切り板２４，２５間に形成される隙間空間、及び、前カバー２１と仕切り板２４との間に形成される隙間空間を介して、流出口２０ｂまで通じている。
【００２７】
流路２０ｃは、流入口２０ａから流入した空気を、上下方向に交互に蛇行させた後、流出口２０ｂから流出させるものである。従って、流路２０ｃは、流入した空気を蛇行させることなく流出させるようにした流路と比べて、空気を流す距離を長くすることができる。この結果、流路２０ｃは、空気の流れと共に伝搬してきた室外機１０の運転音の伝搬距離を長くすることができるので、その運転音を減衰させて小さくすることができる。
【００２８】
流路２０ｃは、流入口２０ａから流出口２０ｂに至る過程において、空気（運転音）が蛇行するように形成されていれば良く、空気を流路構造部２０の上下方向において交互に蛇行させる流路構造に限定されることはない。流路２０ｃは、例えば、空気を流路構造部２０の幅方向または前後方向において交互に蛇行させる流路構造等であっても構わない。
【００２９】
また、図７から図１０に示す如く、流路２０ｃは、当該流路２０ｃの流路断面を確保するために、複数の補強部材３３を有しても構わない。補強部材３３は、前カバー２１及び仕切り板２４〜２６を補強している。補強部材３３は、例えば、前カバー２１の後面と仕切り板２４の前面との間、仕切り板２４の後面と仕切り板２５の前面との間、仕切り板２５の後面と仕切り板２６の前面との間、及び、仕切り板２６の後面に設けられている。
【００３０】
図１、図３から図５に示す如く、ガイド板２７は、流出口２０ｂに取り付けられている。このガイド板２７は、第１ガイド面を構成するガイド面２７ａを有している。このガイド面２７ａは、前カバー２１の縦板部に対して傾斜する傾斜面であって、流出口２０ｂから流出した空気を、当該流出口２０ｂの後方側に向けて整流しながらガイドするものである。これにより、ガイド面２７ａは、流出口２０ｂから流出した空気を、隣家等の受音点から遠ざかる方向に向けて流すことができる。なお、流出口２０ｂの後方側とは、防音カバー１１を正面から見て、この防音カバー１１を前面側と後面側とに分けた場合に、防音カバー１１の後面側のことである。
【００３１】
図１、図３、図４に示す如く、ガイド部材２８は、ガイド板２７のガイド面２７ａに設けられている。こガイド部材２８は、第２ガイド面を構成するガイド面２８ａを左右両側に有している。このガイド面２８ａは、流出口２０ｂの開口端に対して傾斜する傾斜面であって、ガイド面２７ａに沿って流れる空気を、流出口２０ｂの幅方向外側に向けてガイドするものである。なお、流出口２０ｂの幅方向外側とは、防音カバー１１を正面から見て、この防音カバー１１の幅方向外側のことである。
【００３２】
ここで、室外機１０は、暖房運転時において、吸い込み口から吸い込んだ空気に対して、熱交換を行い、その熱交換後の空気を、大気温度よりも低い温度で、送風口１０ｃから排出する。これにより、流出口２０ｂから流出する空気は、比較的に温度が低い空気となる。
【００３３】
これに対して、ガイド部材２８は、室外機１０の暖房運転時において、流出口２０ｂから流出した空気を、流出口２０ｂの幅方向外側、即ち、室外機１０の幅方向外側に向けて流すことができる。これにより、ガイド部材２８は、室外機１０の吸い込み口による冷たい空気の吸い込みを抑制することができる。この結果、ガイド部材２８は、室外機１０の熱交換効率（暖房効率）を向上させることができる。
【００３４】
図１から図３、図５、図１１に示す如く、吸音部材４１は、空気が内部を通過するときに吸音する部材である。この吸音部材４１は、例えば、音のエネルギの一部を、熱エネルギに変換することによって、吸音する。吸音部材４１を通過する音は、その吸音部材４１によって吸音されることにより、低減する。
【００３５】
吸音部材４１は、例えば、グラスウール等の多孔質材料から形成されているが、音を吸収することができるのであれば、どのような材質で形成されても構わない。吸音部材４１は、流路構造部２０の流入口２０ａ内に収納保持されており、室外機１０の送風口１０ｃと対向している。吸音部材４１は、幅方向両側部に設けられたブラケット４２を介して、各側板２２の内面に固定されている。２つのブラケット４２は、２つの連結部材４３によって連結されている。なお、防音カバー１１は、吸音部材４１を備えていなくても構わない。
【００３６】
図１から図３、図５、図６、図１２に示す如く、フレーム５１は、流路構造部２０及び吸音部材４１を、室外機１０の前面１０ａに対して固定させるものである。このフレーム５１は、ブラケット５２，５３を介して、室外機１０の前面１０ａに固定されているが、当該前面１０ａに直接に固定されても構わない。フレーム５１の開口部５１ａは、室外機１０の送風口１０ｃ及び吸音部材４１と対向している。
【００３７】
従って、室外機１０の送風口１０ｃから排出された空気は、流路構造部２０の流入口２０ａから、吸音部材４１を介して、流路２０ｃ内に流入する。このとき、吸音部材４１は、その空気が内部を通過するときに、当該空気の流れと共に伝搬してきた室外機１０の運転音を吸収する。
【００３８】
次いで、吸音部材４１を通過した空気は、流路２０ｃ内を上下方向において交互に蛇行しながら流れた後、流出口２０ｂから流出する。このとき、流路構造部２０は、流路２０ｃの長さを長くしているため、その流路２０ｃ内において、空気の流れと共に伝搬してきた室外機１０の運転音を減衰させて小さくする。
【００３９】
そして、流出口２０ｂから流出した空気は、ガイド板２７のガイド面２７ａによって、流出口２０ｂの後方側に向けて流れる。また、そのガイド面２７ａに沿って流れる空気は、流出口２０ｂの幅方向外側に向けて流れる。
【００４０】
なお、室外機１０が複数の送風口１０ｃを備える場合には、防音カバー１１は、各送風口１０ｃに対応して設けられる。また、防音カバー１１は、室外機１０の前面１０ａに対向して、送風口１０ｃを少なくともその外側から覆うように、取り付けられるものであるが、室外機１０の前面１０ａ全域をその外側から覆うようにしても構わない。この場合には、防音カバー１１は、送風口１０ｃから離れた位置に内蔵されるコンプレッサの駆動音についても、低減することができる。
【００４１】
また、室外機１０を設置すると、近隣住民の中には、室外機１０を見ただけで威圧感を感じ、その運転音を危惧する人もいる。しかしながら、防音カバー１２は、その色を、住居の外壁の色に合わせた色とすることにより、住居の美観を損ねることなく、室外機１０に取り付け可能となる。
【００４２】
以上より、実施の形態１に係る防音カバー１１は、室外機１０の前面１０ａに対して、当該前面１０ａに開口する送風口１０ｃを少なくとも覆うように取り付けられる防音カバー１１であって、送風口１０ｃから排出された空気が流入する流入口２０ａと、流入口２０ａから流入した空気が外部に流出する流出口２０ｂと、流入口２０ａから流出口２０ｂに至る過程において、空気が蛇行するように、流入口２０ａから流出口２０ｂまで延びる流路２０ｃとを備えている。これにより、防音カバー１１は、室外機１０の運転音をより省スペースな構成で低減することができる。
【００４３】
流路２０ｃは、複数の仕切り板２４〜２６によって形成されている。これにより、防音カバー１１は、室外機１０の運転音の伝搬距離を容易に長くすることができる。
【００４４】
防音カバー１１は、流出口２０ｂから流出した空気を、当該流出口２０ｂの後方側に向けてガイドするガイド面２７ａを備えている。これにより、防音カバー１１は、室外機１０の運転音を、隣家等の受音点から遠ざかる方向に向けて流すことができる。
【００４５】
防音カバー１１は、ガイド面２７ａに沿って流れる空気を、流出口２０ｂの幅方向外側に向けてガイドするガイド面２８ａを備えている。これにより、防音カバー１１は、暖房運転時における室外機１０の熱交換効率を向上させることができる。
【００４６】
防音カバー１１は、流入口２０ａに対向するように配置される吸音部材４１を備えている。この吸音部材４１は、流入口２０ａに流入した空気が通過するときに吸音するものである。流入口２０ａに流入した空気は、吸音部材４１及び流路２０ｃを通って、流出口２０ｂから外部に流出する。これにより、防音カバー１１は、空気の流れと共に伝搬してきた室外機１０の運転音を、吸音部材４１によって吸収または低減することができる。
【００４７】
実施の形態２．
実施の形態２に係る防音カバーについて、図１３を用いて説明する。図１３は、実施の形態２に係る防音カバーの分解斜視図である。
【００４８】
実施の形態２に係る防音カバー１２は、室外機１０の前面１０ａに取り付けられている。この実施の形態２に係る防音カバー１２は、前カバー２１Ａ、ガイド板２７、吸音部材４１、フレーム５１Ａ、及び、流出口６１を備えている。即ち、防音カバー１２は、流路構造部２０の流路２０ｃを備えていない。
【００４９】
吸音部材４１は、前カバー２１Ａの後面に対して、当該後面との間に所定量の隙間が形成されるように固定されている。これにより、防音カバー１２の流出口６１は、前カバー２１Ａの後面と、吸音部材４１における前面の下辺との間に形成されている。従って、室外機１０の運転音は、吸音部材４１を通過したときに、吸収される。
【００５０】
以上より、実施の形態２に係る防音カバー１２は、室外機１０の運転音をより省スペースな構成で低減することができる。
【００５１】
なお、本願発明は、その発明の範囲内において、各実施の形態の自由な組み合わせ、あるいは、各実施の形態における任意の構成要素の変形、もしくは、各実施の形態における任意の構成要素の省略が可能である。
【符号の説明】
【００５２】
１０    室外機
１０ａ    前面
１０ｂ    後面
１０ｃ    送風口
１１，１２    防音カバー
２０    流路構造部
２０ａ  流入口
２０ｂ，６１  流出口
２０ｃ  流路
２１，２１Ａ    前カバー
２２    側板
２３    底板
２４〜２６    仕切り板
２７    ガイド板
２８    ガイド部材
２７ａ，２８ａ  ガイド面
３１，３２    アングル部材
３３    補強部材
４１    吸音部材
４３    連結部材
５１，５１Ａ    フレーム
５１ａ    開口部
４２，５２，５３    ブラケット
【図１】
2020159567.tif 000003
【図２】
2020159567.tif 000004
【図３】
2020159567.tif 000005
【図４】
2020159567.tif 000006
【図５】
2020159567.tif 000007
【図６】
2020159567.tif 000008
【図７】
2020159567.tif 000009
【図８】
2020159567.tif 000010
【図９】
2020159567.tif 000011
【図１０】
2020159567.tif 000012
【図１１】
2020159567.tif 000013
【図１２】
2020159567.tif 000014
【図１３】
2020159567.tif 000015